(57)【要約】本発明に係る還元処理剤は、マグネシウム酸化物及び亜鉛酸化物を含む酸化混合粉体２０〜４０部と、カルシウム、アスコルビン酸、クエン酸、及び塩を含む有機酸粉体６０〜８０部とを含有する、１５００〜３０００メッシュの範囲の粒度の粉体から成る。本発明の還元処理剤は、さらに、銅、モリブデン、ニッケル、コバルト、鉄、及びアルミニウムから選ばれる１種ないし６種の金属粉を、それぞれ１部ずつ含んでいても良い。上記構成により、本発明の還元処理剤は、様々な物質に加えたときに該物質と混ざりやすく、対象が水以外であっても全体を均等に還元状態にすることができる。また、上記還元処理剤は界面活性を有するため、化粧品や食品として利用することができる。
2016047680.tif 000002
【特許請求の範囲】
【請求項１】
a) マグネシウム酸化物及び亜鉛酸化物を含む酸化混合粉体２０〜４０部と、
b) カルシウム、アスコルビン酸、クエン酸、及び塩を含む有機酸粉体６０〜８０部と、
を含有する、１５００〜３０００メッシュの範囲の粒度の粉体から成る還元処理剤。
【請求項２】
a) マグネシウム酸化物及び亜鉛酸化物並びにカルシウムを含む混合粉体６〜１２部と、
b) 炭酸水素ナトリウム５０部と、
c) 炭酸ナトリウム５０部と
を含有する、１５００〜３０００メッシュの範囲の粒度の粉体から成る還元処理剤。
【請求項３】
a) マグネシウム酸化物及び亜鉛酸化物並びにカルシウムを含む混合粉体６〜１２部と、
b) 炭酸水素ナトリウム又は炭酸ナトリウム５０〜２００部と
を含有する、１５００〜３０００メッシュの範囲の粒度の粉体から成る還元処理剤。
【請求項４】
さらに、銅、モリブデン、ニッケル、コバルト、鉄、及びアルミニウムから選ばれる１種ないし６種の金属粉を、それぞれ１部ずつ含む、請求項１〜３のいずれかに記載の還元処理剤。
【請求項５】
請求項１〜４のいずれかに記載の還元処理剤を含有する、還元化粧品。
【請求項６】
a) マグネシウム酸化物及び亜鉛酸化物を含む酸化混合粉体と、
b) カルシウム、アスコルビン酸、クエン酸、及び塩を含む有機酸粉体と
を含有する、１５００〜３０００メッシュの範囲の粒度の粉体から成る還元食品。
【請求項７】
前記酸化混合粉体と前記有機酸粉体の混合比率が１０：９０〜６：９４となるように、前記前記酸化混合粉体と前記有機酸粉体を含有する、請求項６に記載の還元食品。
【請求項８】
前記酸化混合粉体を２０〜３０部と、
前記カルシウムを３０部、前記アスコルビン酸を５部、前記クエン酸を１５部、及び前記塩を６０部を含む前記有機酸粉体と
を含有する、請求項６に記載の還元食品。
【請求項９】
a) マグネシウム８０部と、亜鉛２０部を２００〜４００メッシュに粉砕して混合粉体とし、
b) 前記混合粉体にｐＨ２〜３、ＯＲＰ１０００ｍＶ以上の酸化水を加えた後、水分を除去して、酸化混合粉体を準備し、
c) カルシウム、アスコルビン酸、クエン酸、塩をそれぞれ３０部ずつ混合して混合有機酸を準備し、
d) 前記酸化混合粉体と前記混合有機酸とを２０：８０〜４０：６０の範囲内で混合してイオン化混合体を作製し、
e) 前記イオン化混合体を型に入れ、その表面に水を噴霧した後、放置して軟質のイオン化混合塊を準備し、
f) 前記イオン化混合塊を１００℃〜２００℃で加熱しながらプレスして硬質のイオン化混合塊を作製し、
g) 前記硬質のイオン化混合塊を粉砕して、１５００〜３０００メッシュの範囲の粒度の粉体から成る還元処理剤を製造する、還元処理剤の製造方法。
【発明の詳細な説明】
【技術分野】
【０００１】
本発明は、対象物に添加することにより該対象物を還元状態にする還元処理剤及び還元化粧品並びに還元食品に関する。
【背景技術】
【０００２】
物質の電子の放出しやすさ、あるいは受け取りやすさを定量的に評価する指標の一つに酸化還元電位（ＯＲＰ）がある。ＯＲＰが高い物質ほど他の物質を酸化しやすく、ＯＲＰが低い物質ほど他の物質を還元しやすい。＋２００ｍＶがＯＲＰの中間値とされ、水の場合、この中間値よりもＯＲＰが低いものは還元水と呼ばれる。通常、生体は還元状態にある。従って、還元水は生体に対する負担が少ないため、健康飲料水として飲用される他、入浴剤や化粧水、外用皮膚剤等として利用されている（特許文献１〜４参照）。【０００３】
還元水は、例えば陽極及び陰極を配置した容器内に水を収容し、陽極−陰極間が＋２００ｍＶよりも低電位になるように調整しつつ通電することにより生成される。また、触媒が収容された容器内に水を入れ、同様に通電することにより該触媒から水素を発生させることによっても、還元水（水素還元水）を生成することができる（特許文献５）。
ところが、いずれの場合も、十分な量の還元水を生成するまでに時間がかかる。また、水素を長時間水中に溶存させておくことは難しいため、生成された還元水はすぐに利用する必要がある。【０００４】
これに対して、還元パウダーと呼ばれる粉末状の還元処理剤が提供されている（特許文献６）。還元パウダーは、水素を発生しやすい金属（亜鉛、鉄、マンガン、銅、カリウム）を中心にカルシウム、ナトリウム、モリブデン、バナジウム、ニッケル、マンガン、セレニウム（セレン）、コバルト、リチウム、リン、クロムを用いて作られており、水道水や水分を含む対象物質に添加することにより、短時間で該対象物質を還元状態にすることができる。また、還元パウダーは、長期間保存することができる。
【先行技術文献】
【特許文献】
【０００５】
【特許文献１】特開2002-348208号公報
【特許文献２】特開2005-162655号公報
【特許文献３】特開2005-232015号公報
【特許文献４】特開2006-008631号公報
【特許文献５】特開2009-131825号公報
【特許文献６】特開2013-212498号公報
【発明の概要】
【発明が解決しようとする課題】
【０００６】
還元パウダーは、水と接触することにより活性水素を発生し、その活性水素による還元作用により対象物質を還元状態にする。従って、還元パウダーを対象物質に添加することにより該対象物質の全体を還元状態にするためには、還元パウダーを対象物質の全体に均等に分散しなければならない。ところが、特許文献６に開示されている還元パウダーは、乳液やハンドクリーム、軟膏等の比較的粘性が高い対象物質に添加した場合、該対象物質の全体に均等に分散させることが難しかった。【０００７】
本発明が解決しようとする課題は、様々な物質に加えたときに該物質と混合しやすい還元処理剤及び還元化粧品並びに還元食品を提供することである。
【課題を解決するための手段】
【０００８】
上記課題を解決するために成された本発明に係る還元処理剤は、
a) マグネシウム酸化物及び亜鉛酸化物を含む酸化混合粉体と、
b) カルシウム、アスコルビン酸、クエン酸、及び塩を含む有機酸粉体と
を含有する、１５００〜３０００メッシュの範囲の粒度の金属粉体から成る。前記酸化混合粉体と有機酸粉体は、２０：８０〜４０：６０の比率で混合されている。【０００９】
上記還元処理剤においては、アスコルビン酸及びクエン酸のいずれか一方を省略しても良く、マグネシウム及び亜鉛の２種の金属以外に銅、モリブデン、ニッケル、コバルト、鉄、及びアルミニウムから選ばれる１種類ないし６種類の金属の粉体を加えても良い。また、必要であれば上記以外の金属の粉体を加えても良い。マグネシウム及び亜鉛以外の金属の粉体（以下、「追加金属粉体」という。）を加える場合は、マグネシウム８０部、亜鉛１５部に対して、追加金属粉体１種類につき１部ずつ加えることが好ましい。【００１０】
上記本発明に係る還元処理剤は以下の方法により製造することができる。
すなわち、本発明に係る還元処理剤の製造方法は、以下の工程ａ）〜ｇ）から成る。
a) マグネシウム８０部と、亜鉛２０部を２００〜４００メッシュ程度に粉砕して混合粉体とする。粉砕する際、ブレンダー機の内側にオリーブ油やビタミンＥオイルを少し塗っておき、金属粉がブレンダー機の内側の壁面に付着しないように工夫することによって、粉砕された金属粉の表面にオイルの被膜がつくことにより、次の粉砕の工程をスムースに行うことができる。また、水を噴霧した時の還元反応を短時間阻止することにより、金属粉を保護することができる。さらに、ブレンダー機の内側にオリーブ油等を塗っておくことにより、還元処理剤の製造工程において、ナトリウムが自然発火することを防止できる。
b) 前記混合粉体にｐＨ２〜３、ＯＲＰ１０００ｍＶ以上の酸化水を加えた後、水分を除去して、酸化混合粉体を準備する。マグネシウム、亜鉛以外の金属を混ぜる場合には、マグネシウム８０部、亜鉛１５部、カルシウム３０部、他の金属を１部ずつとする。
c) カルシウム、アスコルビン酸、クエン酸、塩をそれぞれ３０部ずつ混合し、混合有機酸を準備する。
d) 前記酸化混合粉体と前記混合有機酸とを２０：８０〜４０：６０の範囲内で混合し、イオン化混合体とし
e) 前記イオン化混合体を型に入れ、その表面に水を噴霧した後、放置して軟質のイオン化混合塊を作製し、
f) 前記イオン化混合塊を１００℃〜２００℃で加熱しながらプレスして硬質のイオン化混合塊を作製し、
g) 前記硬質のイオン化混合塊を粉砕して、１５００〜３０００メッシュの範囲の粒度の粉体から成る還元処理剤とする。【００１１】
上記した還元処理剤の製造方法において、酸化混合粉体と混合有機酸の比率が２０：８０〜４０：６０であることが望ましい。また、その比率が１０：９０〜６：９４の比率にすると、クエン酸サイクルで知られる還元食品が出来上がる。クエン酸は、そのキレート作用で乳酸、尿酸、体脂肪、血糖、尿毒素等の不必要な物質を消滅させて、それをエネルギーに転換させる事ができ、更には、ビタミン類、カルシウムなどのミネラル類の吸収をよくするキレート作用で還元力のあるサプリメントとしての利用も可能である。この場合、混合有機酸の塩は控える事が大切である。洗顔水や入浴剤に関しては、上記還元処理剤と同比率で良い。また、カルシウム３０部、塩６０部、クエン酸１５部、アスコルビン酸５部の混合体を８０〜９０部とマグネシウムと亜鉛の酸化混合体２０〜１０部で作ると、還元カルシウムを含む調理塩ができる。マグネシウムを含むので、カルシウムが吸収しやすくなり、更に、クエン酸のキレート作用でより効果的にカルシウムが吸収される。【００１２】
本発明に係る還元処理剤は、植物や果実等の鮮度保持剤、化粧品、あるいは衣服用洗浄剤として利用することができる。特に化粧品として利用した場合には、肌質改善や顔面のリフトアップ、くすみの削減効果などが得られる。なお、本明細書では顔面用洗浄剤も化粧品に含まれるものとする。
【発明の効果】
【００１３】
本発明に係る還元処理剤は、粒度が１５００〜３０００メッシュの非常に微細な金属粒体から構成されており、様々な物質と混合し易いため、対象物質が水以外であっても全体を均等に還元状態にすることができる。また、この還元処理剤は、界面活性を有するため、化粧品や食品として利用することができる。
【図面の簡単な説明】
【００１４】
【図１】本発明に係る還元処理剤の鮮度保持剤としての実施例を示す図。
【図２】本発明に係る還元処理剤の衣服用洗浄剤としての実施例を示す図。
【図３】本発明に係る還元処理剤の界面活性剤としての実施例を示し、（ａ）はビタミンＥオイルに還元処理剤を添加したときの様子を示し、（ｂ）はビタミンＥオイル＋水に還元処理剤を添加したときの様子を示す。
【発明を実施するための形態】
【００１５】
本発明に係る還元処理剤は、マグネシウム、亜鉛の酸化混合粉体にカルシウム、アスコルビン酸、クエン酸、及び塩を添加して得られる合金を１５００〜３０００メッシュの範囲の粉体にすることにより、得られる。
【００１６】
具体的には、次の手順により製造することができる。
（１）２００〜４００メッシュの大きさのマグネシウム８０部、亜鉛２０部を混合して、混合粉体とする。
（２）前記混合粉体にｐＨ２〜３、ＯＲＰ１０００ｍＶ以上の酸化水を混合した後、乾燥させて、酸化混合粉体とする。
（３）カルシウム、アスコルビン酸、クエン酸、塩をそれぞれ、３０部ずつ用意し、これらを混合して、混合有機酸の粉体を作る。この場合、塩は天然塩が望ましい。
（４）前記酸化混合粉体２０〜４０部、前記混合有機酸粉体を６０〜８０部とを混合し、イオン化混合粉体とし、これをステンレス製の型枠に入れ、その表面に水を噴霧した後、放置する事により、比較的もろい、イオン化混合塊が得られる。水を噴霧する際、噴霧量が多すぎると固まらないので、注意しての適量が必要とされる。
（５）更に放置すると、イオン化混合体の水分が少なくなった時点で１００〜２００℃の過熱をしながら、プレスする事により、比較的、軟い固体状のイオン化混合塊が出来上がる。その後、その塊を１５００〜３０００メッシュの範囲で粉砕することで、還元処理剤が得られる。
【００１７】
本発明に係る還元処理剤の成分は、灰や灰汁の成分を参考に導き出されたものである。すなわち、灰や灰汁は、古来より、触媒や汚れ落とし、漂白、助然触媒、あく抜き、洗浄剤、消毒剤、肥料、雑菌の繁殖抑制等に利用されている天然の有用な化学物質である。また、灰に落ちた脂が加水分解されて脂肪酸塩が生成され、石鹸が誕生したと言われている。
灰の主成分は、カリウム、マグネシウム、カルシウムであり、他に亜鉛、鉄、アルミニウム、ナトリウム、銅などを含む。灰を水に溶解すると、炭酸カリウム（K2CO3）が生成され、強いアルカリ性を示す。そこで、本願発明者は、これらの成分を本発明に係る還元処理剤に含めた。
【００１８】
近年では、ダイオキシンが含まれることにより、あるいは農薬等の化学物質の散布や環境汚染の影響により、安全な灰の入手が困難であるが、本発明に係る還元処理剤はこのような心配がない。
【００１９】
還元処理剤を水や水分を含む物質に混ぜると、酸化が進んだ状態にある還元処理剤から電子が放出され、活性水素が発生する。活性水素が発生すると、比較的短時間で物質が還元される。還元状態にある物質は生体に負担が少ないため、還元処理剤で処理した飲料水や食品を摂取することにより生体に良い影響を与えることができる。
また、本発明に係る還元処理剤が有する還元作用により、衣服等に付着した汚れ成分を分解することができるため、本発明に係る還元処理剤は衣服用洗浄剤としても有用である。もちろん、衣服以外にも食器用洗浄剤や清掃用洗浄剤として利用することもできる。
【００２０】
この場合、還元処理剤には、１５００〜４０００メッシュの範囲の様々な大きさの粒体が含まれていることが好ましい。特に、粒体の大きさがある一定の割合で変化し、且つ、各大きさの粒体が同じ比率で含まれるようにすると、水素発生と還元反応が段階的に起こり、長期間、有効的な還元状態を持続することができる。なお、以下の実験では、小粒、中粒、大粒とほぼ３段階に分かれる大きさの粉体から成る還元処理剤を用いた。
【００２１】
続いて、上記手順で得られた還元処理剤について種々の実験を行った結果について説明する。
【００２２】
＜実験１＞
２５０ｍＬの水道水（水温１３℃、ｐＨ７．８、ＯＲＰ５６０ｍＶ）に前記還元処理剤を０．４ｇ入れ、撹拌すると、その約５秒後にｐＨ１１．８、ＯＲＰが−７８０ｍＶの強還元水ができる。この還元水を空気に触れた状態で８時間放置しておいても、そのＯＲＰは変化しなかった。８時間経過した後は、徐々に酸化の方向に向かうが、２４時間後でも−６０ｍＶであり、還元状態を維持していることを確認した。
【００２３】
この結果から、前記還元処理剤は、特許文献6に記載の還元パウダーよりも長時間還元状態を維持できる事がわかる。また、前記還元パウダーは、マグネシウムの粒の大きさでORPを維持してきた。また、マグネシウムが主体であった為に水温が20℃以上でなければ、反応しにくかったが、前記還元処理剤は、マグネシウムより、イオン化傾向が大きいカルシウムの比率が大きい為、10℃の低温の水でも短時間で水素を発生する事ができ、ORPの低下も早かった。
【００２４】
できあがった還元処理剤は、小粒、中粒、大粒と段階的に構成されているため、順次、水素が発生し、ＯＲＰが維持される。イオン化傾向の高い順にカルシウムからマグネシウムに移行し、亜鉛に移行していく。
水２５０ｍＬに還元処理剤を０．１ｇ、０．２ｇ、０．３ｇを添加した時のＯＲＰは、マイナス２５０ｍＶ、マイナス４８０ｍＶ、マイナス６８０ｍＶであった。このことから、還元処理剤の量を変えることで、自由にＯＲＰ値を変えることができる。
【００２５】
次に、８時間放置した後、ＯＲＰが−７８０ｍＶの強還元水の酸化を防ぐために、該強還元水をガラス瓶に満杯に入れ、空気に触れないように栓をして放置した。すると、放置から２４時間後のＯＲＰは−７９０ｍＶ、  ２日後のＯＲＰは−８００ｍＶ、一週間後のＯＲＰは−８１５ｍＶ、１カ月後のＯＲＰは−８２８ｍＶ、６カ月後のＯＲＰは−８５０ｍＶであった。
【００２６】
空気に触れない状態で還元水を保管すればＯＲＰが保持されることは当然であるが、ＯＲＰが更に低下するのは、水中に存在する鉱物粉によるが還元反応が順次起こるためであると考えられる。このことから、還元パウダーよりも本発明の還元処理剤の方が還元力がより長く保持されるものと推測された。
【００２７】
ガラス瓶に密封してから６カ月が経過した強還元水を空気に触れる状態にして、１カ月間放置した。するとＯＲＰが＋１８０ｍＶになり、更に２カ月後にＯＲＰが＋１９０ｍＶになった。このように空気に触れる状態にしても、ＯＲＰの中間値といわれる＋２００ｍＶまでＯＲＰが高くならなかったのは、酸化したミネラル粒が還元されて還元ミネラルとして水中に存在するためである。このことから、本発明の還元処理剤は、食品等に含まれる酸化防止剤の代替品となり得ると考えられる。
【００２８】
＜実験２＞
ＯＲＰが−７８０ｍＶの還元水に酸性物質を入れ、ｐＨ７にした還元水を作製した。この還元水と水道水に、(1)萎れた植物、(2)乾燥した昆布、(3)乾燥した黒豆と米、(4)乾燥した乾ししいたけ、を入れて放置した。その結果は次の通りである。
(1)還元水に入れた方は、約１０分後に植物の勢いが回復し。一方、水道水に入れた方は多少元気になったものの、完全には勢いが回復しなかった。
(2)還元水に入れた方は、３０分後、黒色のものが緑色ががってきて、噛むと柔らかであったが、水道水の方は黒いままで、噛んでもあまり柔らかくはなかった。また、噛み切れなかった。
(3)還元水に１時間ほど浸しておくと、米の表面が白くなり、粒も少しふくらんでいた。また、黒豆は、表皮がシワシワだったものが滑らかになっていた。一方、水道水につけた方は、黒豆、米共に多少の変化があったものの、ほとんどが現状のままであった。両者をそのまま炊飯してみると、還元水に浸した方が柔らかく、水道水に浸した方は柔らかく炊くことができなかった。また、旨みは還元水に浸した方が良かった。
(4)還元水に漬けた方は、約３分後にしいたけの香りが強く表れ、１０分後には柔らかくなっていた。一方、水道水に漬けた方は、１０分経過しても硬かった。
なお、上記の他、還元水による水出しコーヒー、水出し緑茶を作ったところ、すぐに抽出することができた。一方、水道水では、コーヒーや緑茶に時間がかかった。これらのことから、還元水は、水道水に比べると浸透性や抽出力が強いことが分かった。
【００２９】
＜実験３＞
ビタミンＥオイル４０％、水道水４０％に還元処理剤を２０％混ぜると簡単に混ざり、その後６カ月放置しても分離しなかった。また、同様にして、バターと水道水、チョコレートと水道水、てんぷら油と水道水、卵黄とオリーブと水道水のそれぞれに還元処理剤を混ぜて実験しても同様の結果が得られた。このことから、本発明の還元処理剤は界面活性剤の役割をすることも確認された。
【００３０】
＜実験４＞
本発明の還元処理剤を使ってＯＲＰが−７００ｍＶの還元水を作り、これで脂汚れの食器を洗ったところ、油汚れがとれて綺麗になった。
また、換気扇の強烈な汚れに対して、本発明の還元処理剤を直接ふりかけ、その後、水を加えたタワシで洗うと綺麗に汚れが落ちた。
カッターシャツ等の襟部の汚れに対して、該襟部を水で濡らし、本発明の還元処理剤をふりかけた後、指先などで優しく擦ったところ、汚れが綺麗に落ちた。また、黄ばんだ汚れも漂白することができた。襟部に付着したタンパク質や脂肪酸の汚れは何重にも重なっているため、洗剤では落ち難いが、本発明ではこのような汚れに対しても効力を発揮した。このことから、本発明の還元処理剤は、界面活性剤や石鹸（洗剤）、漂白剤の役割をすることが確認できた。
【００３１】
＜その他＞
通常、強酸性でＯＲＰの高い水は、殺菌力が強く、殺菌水として利用されている。その反対、強アルカリ性でＯＲＰの低い水も同様に殺菌力が強く、同様にして使われる。例えば本発明の還元処理剤を水道水２５０ｍＬに０．５ｇ溶かすと、ｐＨ１２．９、ＯＲＰが−８２０ｍＶの還元水ができ、殺菌性が高い水となる。更に０．７ｇの還元処理剤を溶解するとｐＨ１６、ＯＲＰが−９８０ｍＶとなり更に殺菌力が強くなる。従って、本発明の還元処理剤は殺菌剤や防腐剤の代わりとなり得る。なお、ｐＨが７程度やｐＨが５程度の酸性にしたいときは、本発明の還元処理剤がなじんだ後に酸性物質を入れ、ｐＨを整えれば良い。
【００３２】
以上のことから、本発明の還元処理剤は以下のような作用、効果も有すると思われる。
(1)歯磨き粉に代えて本発明の還元処理剤で歯みがきすることにより、虫歯の予防や進行抑制、歯ぐきの出血・口内炎の防止。
(2)酒類に本発明の還元処理剤を溶かすことによる、飲酒後の悪酔い、二日酔いの抑制。
(3)農薬に含まれる化学成分の分解。これは、農薬のかかっている植物に本発明の還元処理剤を溶かした水を噴霧するとしばらくして虫がついてしまうことから確認できる。
(4)本発明の還元処理剤に含まれる亜鉛粉による傷口の殺菌及び修復
(5)天ぷら油に本発明の還元処理剤を入れて天ぷらを揚げたときの作用・効果（カラッと揚がり、天ぷらがさめてもそのカラッとさが続き、ベタベタ感がない）。これは、本発明の還元処理剤の界面活性剤としての作用及び該作用の持続性による。
(6)カビの生えやすい食品に本発明の還元処理剤を予め混ぜておくことによるカビの発生防止。
【００３３】
要するに、本発明の還元処理剤は、浸透力が強く、脂肪酸やタンパク質の汚れを落とす作用、一種の界面活性剤としての機能、殺菌効果、毒性のある化学物質を分解する作用、漂白作用を有し、従来使用されている界面活性剤、酸化防止剤、還元剤、浸透剤、防腐剤、殺菌剤、漂白剤、洗剤等の化学物質に代替品となり得る。
【００３４】
以下、本発明に係る還元処理剤を鮮度保持剤、洗浄剤、化粧品として用いた具体的な実施例について説明する。
【実施例１】
【００３５】
水道水に還元処理剤を加えたことによる植物の鮮度保持効果について調べた。
まず、容器内に水道水を２５０ｍＬ入れ、その中に還元処理剤を０．３ｇ添加したものと、添加しなかったものを用意した。それらの中に、しおれた植物を入れ、入れた直後及び１０分経過後の植物の状態を観察した。【００３６】
図１の（ａ）の写真は植物を入れた直後の状態、（ｂ）の写真は１０分経過後の状態を示し、それぞれ、左側の容器には還元処理剤を添加した水道水が、右側の容器には無添加の水道水が収容されている。これらの写真から分かるように、還元処理剤を添加した水道水、無添加の水道水のいずれに植物を入れた場合も１０分経過すると植物の勢いが回復したが、還元処理剤を添加した水道水に入れた植物の方が、無添加の水道水に入れた植物よりも回復の程度が大きかった。
【実施例２】
【００３７】
本発明に係る還元処理剤の洗浄作用を調べるため、カッターシャツの汚れた襟部分（図２（ａ））を水で濡らした後、本発明に係る還元処理剤を振りかけた。そして、襟部分をブラシで軽くこすったところ、図２（ｂ）に示すように、汚れ成分を取り除いて綺麗にすることができた。
【実施例３】
【００３８】
ビタミンＥオイル２０ｍＬに本発明に係る還元処理剤を２ｇ入れ、かき混ぜた後、放置すると、還元処理剤が沈殿した（図３の（ａ））。一方、ビタミンＥオイル２０ｍＬに本発明に係る還元処理剤を２ｇ入れ、さらに水１０ｍＬを加えてかき混ぜると、６カ月間放置してもビタミンＥオイルと還元処理剤及び水は分離しなかった（図３の（ｂ））。
【実施例４】
【００３９】
上述の手順で作った還元処理剤を化粧品として使用したときの効果を１０人の被験者について調べた。以下では、使用する毎に、還元処理剤を他のいくつかの成分と混ぜ合わせた。
［被験者１］
５０歳代  敏感肌の女性、約１ヶ月半使用
１週間のうち５日間（月〜金曜日）は、保湿化粧水１０ｍＬ、ビタミンＥオイル２〜３ｍＬ、還元処理剤０．３〜０．４ｇを混ぜたものを朝晩、顔面の肌につけ、残りの２日間（土、日曜日）は、水と還元処理剤を約５：１の割合で混ぜたものを、睡眠前に顔面の肌につけた。これにより、肌質が改善してきた。また、清々しくサッパリ感とともに、肌質のキメが整い、肌が丈夫になってきた。【００４０】
［被験者２］
７０歳代  男性、約１ヶ月半使用
ビタミンＥオイルとマカデミアンナッツオイルを６：４の割合で混ぜたものを２〜３ｍＬと、保湿化粧水１０ｍＬ、還元処理剤０．３〜０．４ｇを混ぜ、これを朝晩に顔の右半分の肌に塗布した。約１ヶ月後、「塗布した方（顔面の右半分）がリフトアップしている」と第三者により指摘を受けた。その後、約４０日間塗布を続けた後、塗布するのをやめ、代わりに食品用ビタミンＥオイルと還元処理剤を１：１の割合で混ぜたものを市販のカプセル（♯００号）に入れ、毎日飲み続けた。カプセルを飲み始めてから約１０日が経過した後、第三者（久しく会わなかった女性）より「肌につやが出てきれいになった」と言われた。本人も、以前より肌がしっとりとしたと自覚している。【００４１】
［被験者３］
５０代後半  女性、約４０日使用
目の横の頬に半年ほど前にシミができ、同時に多くのくすみがあった。化粧用クリーム１０ｍＬに還元処理剤３ｇを混ぜたものを、シミやくすみ部分につけ、さらにその上からミネラルファンデーション粉に還元処理剤を混ぜたものを塗布してシミ部分を隠した。すると、使用開始から約４０日後に、かなり、シミやくすみが薄くなってきた。【００４２】
［被験者４］
６０歳代前半  男性  １回だけの使用
シャボン（液体石けん）に前記還元処理剤を２〜３割混ぜ、一方の手をこれで洗い、他方の手を従来のシャボンで洗った。この結果、還元処理剤を混ぜたシャボンで洗った方が洗浄力が強く、全体に美白効果が得られた。【００４３】
［被験者５］
４０歳代後半  敏感肌で化粧品類にかぶれたり染みやすい肌質の女性  約４０日使用
体質改善に従来から還元水を飲用していたが、肌質改善までは至らなかった。水に前記還元処理剤を２〜３割混ぜたものを化粧水の代わりに洗顔後塗布した。また、日中は、化粧水と前記還元処理剤、マカデミアンナッツオイルとビタミンＥオイルをブレンドしたもの（被験者２と同じ）を使用し続けたところ、敏感肌が改善され、化粧水などが染みにくくなり、肌のキメも整ってきた。【００４４】
［被験者６］
５０歳代後半  女性  約１０日使用
以前より、乾燥肌に悩み、特に冬季は、乾燥によるひび割れ悩んでいた。保湿化粧水と浄水とオイルと前記還元処理剤を１０：３：１：１の割合で混ぜたものを、ボディーローション用として１０日間使用した。ひどかった肌の乾燥が改善し、とてもしっとりした。また、全身がつやつやと輝き、満足している。同様にして、顔肌にも塗布、乾燥が改善され、ボディーローションの使用量も減ってきた。【００４５】
［被験者７］
７０歳代前半  男性  約３０日使用
前記還元処理剤３ｍＬを化粧用クリーム１０ｍＬに混ぜたものを、鼻根にあったシミに朝晩塗布した。使用開始から約３０日経過後にシミがかなり薄くなった。【００４６】
［被験者８］
５０歳代  女性  約１ヶ月半使用
保湿化粧水、オイル、前記還元処理剤を１０：１：１の割合で混ぜて使用した。使用後２、３日でリフトアップを実感した。その後の継続使用により小じわが軽減し、肌質も柔らかになり、全体にきめが整った感じがする。また、両頬骨周辺にある肝斑が薄くなり始め、赤みが随分と取れてきた。周囲の人からは、「顔の形が変わった」と言われる。これは、おそらく、リフトアップの効果で顔全体が引き締まったことによるものと思われる。使用後、約一カ月半が経過し、輝きのある肌になり、顔色もワントーン明るくなった。【００４７】
［被験者９］
７０歳代  女性  約１０日間使用
保湿化粧水、オイル、前記還元処理剤を１０：１：１の割合で混ぜて使用した。使用後初めての洗顔時に、通常よりも早く肌の汚れが取れているような感じを覚えた。加えて、顔色が少し白くなっているように思われる。また、両頬に手のひらをあてると、輪郭の変化を感じる。少し小顔になったようである。【００４８】
［被験者１０］
５０歳代女性  約１０日間使用
還元水とオイルと前記還元処理剤を１０：１：１の割合で混ぜて使用した。使い始めて２日目くらいから、「リフトアップした」という感じがし、肌が引き締まったように思われた。顔全体に上に持ちあがったようである。朝晩使い続けていると、肌色も少し白くなった気がする。顔全体が明るくなった印象を受ける。【００４９】
マグネシウムは、大量に水素を発生させてＯＲＰの低下に役立つ物質である。亜鉛は、マグネシウムに比べるとゆっくりではあるが水素を発生させ、ＯＲＰの低下とＯＲＰの維持に役立つ物質である。カルシウムは、少量であってもＯＲＰを低下させる物質である。マグネシウムと亜鉛以外の金属粉は、多少のＯＲＰの低下につながる。以上のことを確かめるために実験を行った。その結果を下記の表１〜表２に示す。【００５０】
【表１】
2016047680.tif 000003
【００５１】
【表２】
2016047680.tif 000004
【００５２】
表１は、上述の混合有機酸（カルシウム、アスコルビン酸、クエン酸、塩）と上述の酸化混合粉体（マグネシウム、亜鉛）を混合し、これを250mLの水に0.3g溶解して得られた溶液のＯＲＰの変化を示す。また、表２は、前記混合有機酸からカルシウムを除いたものを酸化混合粉体と混合し、これを250mLの水に0.3g溶解して得られた溶液のＯＲＰの変化を示す。表中、「時間」とは溶解時からの経過時間を示す（以下、同様）。表１と表２の比較から明らかなように、カルシウムを含む溶液の方が速やかにＯＲＰが低下したが、溶解から５分後では、両方の溶液のＯＲＰはほぼ同じであった。【００５３】
【表３】
2016047680.tif 000005
【００５４】
【表４】
2016047680.tif 000006
【００５５】
表３は、上述の酸化混合粉体からマグネシウムを除いたものと上述の混合有機酸を混合し、これを250mLの水に0.3g溶解して得られた溶液のＯＲＰを、表４は、上述の酸化混合粉体から亜鉛を除いたものと上述の混合有機酸を混合し、これを250mLの水に0.3g溶解して得られた溶液のＯＲＰの変化を示す。表１と表３の比較から、マグネシウムを除いた溶液はＯＲＰが低下するまでに時間がかかることが分かる。また、表１、表３及び表４の比較から、亜鉛を除いた溶液は、マグネシウムを除いた溶液ほどＯＲＰの低下を遅らせることはないが、一旦低下したＯＲＰ値が比較的早期に上昇し始めることから、低下したＯＲＰの維持に関与することが分かる。【００５６】
【表５】
2016047680.tif 000007
【００５７】
表５は、マグネシウム８０部、亜鉛１５部、カルシウム３０部、及び銅、モリブデン、ニッケル、コバルト、鉄、アルミニウムをそれぞれ１部ずつ混合した混合粉体にｐＨ２〜３、ＯＲＰ１０００ｍＶ以上の酸化水を混合した後、酸化混合粉体としたものに、上述の混合有機酸を混合し、これを250mLの水に0.3g溶解して得られた溶液のＯＲＰの変化を示す。表１と表５の比較から、マグネシウム及び亜鉛以外の金属粉を混ぜたものは、混ぜなかったものに比べると、ＯＲＰの低下がわずかに大きかった。【００５８】
表５に示す結果が得られた実験に用いた物質をＸ線解析及び蛍光Ｘ線分析した結果を表６及び表７に示す。
【表６】
2016047680.tif 000008
【表７】
2016047680.tif 000009
【００５９】
表６の結果から、表５に示す結果が得られた実験に用いた物質では、炭酸ナトリウムと炭酸水素ナトリウムが形成されていたことが分かった。これら炭酸ナトリウム及び炭酸水素ナトリウムは、アスコルビン酸、クエン酸及び塩（ＮａＣｌ）を材料として形成されたものと考えられる。そこでマグネシウム８０部、亜鉛１５部、カルシウム３０部、銅、モリブデン、ニッケル、コバルト、鉄、アルミニウムをそれぞれ１部ずつ混合した混合粉体６ｇに、炭酸水素ナトリウムと炭酸ナトリウムをそれぞれ５０部ずつ混合した混合粉体１００ｇを混合し、得られた粉体（混合粉体）を1,500〜3,000メッシュの範囲の大中小の粒になるように粉砕した。これを、3Lの水に１ｇを溶解し、ＯＲＰを測定した。その結果を表８に示す。この表８から、ＯＲＰの低下は少ないが、この方法でも還元処理剤ができあがることが確認された。  【００６０】
【表８】
2016047680.tif 000010
【００６１】
なお、結果は示していないが、カルシウムを含む混合金属粉体６ｇに炭酸水素ナトリウム１００ｇ、炭酸ナトリウム１００ｇのいずれか一方を加えた場合でも、両方を加えた場合と同様の結果が得られた。また、マグネシウム、亜鉛、カルシウムを含む混合金属粉体に炭酸ナトリウム、或いは炭酸水素ナトリウムを混合した場合でも同様であった。
また、上述した還元処理剤が界面活性を有することも実験により確認した。さらに、本発明の還元処理剤は、含まれる物質の量を調整することによりクエン酸還元食品や還元調理塩として利用できることも確認した。
【図１】
2016047680.tif 000011
【図２】
2016047680.tif 000012
【図３】
2016047680.tif 000013
【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
a) マグネシウム酸化物及び亜鉛酸化物を含む酸化混合粉体２０〜４０部と、
b) カルシウム、アスコルビン酸、クエン酸、及び塩を含む有機酸粉体６０〜８０部と、
を含有する、１５００〜３０００メッシュの範囲の粒度の粉体から成る還元処理剤。
【請求項２】
a) マグネシウム酸化物及び亜鉛酸化物並びにカルシウムを含む混合粉体６〜１２部と、
b) 炭酸水素ナトリウム５０部と、
c) 炭酸ナトリウム５０部と
を含有する、１５００〜３０００メッシュの範囲の粒度の粉体から成る還元処理剤。
【請求項３】
a) マグネシウム酸化物及び亜鉛酸化物並びにカルシウムを含む混合粉体６〜１２部と、
b) 炭酸水素ナトリウム又は炭酸ナトリウム５０〜２００部と
を含有する、１５００〜３０００メッシュの範囲の粒度の粉体から成る還元処理剤。
【請求項４】
さらに、銅、モリブデン、ニッケル、コバルト、鉄、及びアルミニウムから選ばれる１種ないし６種の金属粉を、それぞれ１部ずつ含む、
請求項１〜３のいずれかに記載の還元処理剤。
【請求項５】
請求項１〜４のいずれかに記載の還元処理剤を含有する、還元化粧品。
【請求項６】
a) マグネシウム酸化物及び亜鉛酸化物を含む酸化混合粉体と、
b) カルシウム、アスコルビン酸、クエン酸、及び塩を含む有機酸粉体と
を含有する、１５００〜３０００メッシュの範囲の粒度の粉体から成る還元食品。
【請求項７】
前記酸化混合粉体と前記有機酸粉体の混合比率が１０：９０〜６：９４となるように、前記酸化混合粉体と前記有機酸粉体を含有する、請求項６に記載の還元食品。
【請求項８】
前記酸化混合粉体を２０〜３０部と、
前記カルシウムを３０部、前記アスコルビン酸を５部、前記クエン酸を１５部、及び前記塩を６０部を含む前記有機酸粉体と
を含有する、請求項６に記載の還元食品。
【請求項９】
a) マグネシウム８０部と、亜鉛２０部を２００〜４００メッシュに粉砕して混合粉体とし、
b) 前記混合粉体にｐＨ２〜３、ＯＲＰ１０００ｍＶ以上の酸化水を加えた後、水分を除去して、酸化混合粉体を準備し、
c) カルシウム、アスコルビン酸、クエン酸、塩をそれぞれ３０部ずつ混合して混合有機酸を準備し、
d) 前記酸化混合粉体と前記混合有機酸とを２０：８０〜４０：６０の範囲内で混合してイオン化混合体を作製し、
e) 前記イオン化混合体を型に入れ、その表面に水を噴霧した後、放置して軟質のイオン化混合塊を準備し、
f) 前記イオン化混合塊を１００℃〜２００℃で加熱しながらプレスして硬質のイオン化混合塊を作製し、
g) 前記硬質のイオン化混合塊を粉砕して、１５００〜３０００メッシュの範囲の粒度の粉体から成る還元処理剤を製造する、還元処理剤の製造方法。
【手続補正２】
【補正対象書類名】明細書
【補正対象項目名】００１６
【補正方法】変更
【補正の内容】
【００１６】
具体的には、次の手順により製造することができる。
（１）２００〜４００メッシュの大きさのマグネシウム８０部、亜鉛２０部を混合して、混合粉体とする。
（２）前記混合粉体にｐＨ２〜３、ＯＲＰ１０００ｍＶ以上の酸化水を混合した後、乾燥させて、酸化混合粉体とする。
（３）カルシウム、アスコルビン酸、クエン酸、塩をそれぞれ、３０部ずつ用意し、これらを混合して、混合有機酸の粉体を作る。この場合、塩は天然塩が望ましい。
（４）前記酸化混合粉体２０〜４０部と、前記混合有機酸粉体６０〜８０部とを混合し、イオン化混合粉体とし、これをステンレス製の型枠に入れ、その表面に水を噴霧した後、放置する事により、比較的もろい、イオン化混合塊が得られる。水を噴霧する際、噴霧量が多すぎると固まらないので、注意しての適量が必要とされる。
（５）更に放置すると、イオン化混合体の水分が少なくなった時点で１００〜２００℃の過熱をしながら、プレスする事により、比較的、軟い固体状のイオン化混合塊が出来上がる。その後、その塊を１５００〜３０００メッシュの範囲で粉砕することで、還元処理剤が得られる。
【手続補正３】
【補正対象書類名】明細書
【補正対象項目名】００２６
【補正方法】変更
【補正の内容】
【００２６】
空気に触れない状態で還元水を保管すればＯＲＰが保持されることは当然であるが、ＯＲＰが更に低下するのは、水中に存在する鉱物粉による還元反応が順次起こるためであると考えられる。このことから、還元パウダーよりも本発明の還元処理剤の方が還元力がより長く保持されるものと推測された。
【手続補正４】
【補正対象書類名】明細書
【補正対象項目名】００２８
【補正方法】変更
【補正の内容】
【００２８】
＜実験２＞
ＯＲＰが−７８０ｍＶの還元水に酸性物質を入れ、ｐＨ７にした還元水を作製した。この還元水と水道水に、(1)萎れた植物、(2)乾燥した昆布、(3)乾燥した黒豆と米、(4)乾燥した乾ししいたけ、を入れて放置した。その結果は次の通りである。
(1)還元水に入れた方は、約１０分後に植物の勢いが回復した。一方、水道水に入れた方は多少元気になったものの、完全には勢いが回復しなかった。
(2)還元水に入れた方は、３０分後、黒色のものが緑色がかってきて、噛むと柔らかであったが、水道水の方は黒いままで、噛んでもあまり柔らかくはなかった。また、噛み切れなかった。
(3)還元水に１時間ほど浸しておくと、米の表面が白くなり、粒も少しふくらんでいた。また、黒豆は、表皮がシワシワだったものが滑らかになっていた。一方、水道水につけた方は、黒豆、米共に多少の変化があったものの、ほとんどが現状のままであった。両者をそのまま炊飯してみると、還元水に浸した方が柔らかく、水道水に浸した方は柔らかく炊くことができなかった。また、旨みは還元水に浸した方が良かった。
(4)還元水に漬けた方は、約３分後にしいたけの香りが強く表れ、１０分後には柔らかくなっていた。一方、水道水に漬けた方は、１０分経過しても硬かった。
なお、上記の他、還元水による水出しコーヒー、水出し緑茶を作ったところ、すぐに抽出することができた。一方、水道水では、コーヒーや緑茶に時間がかかった。これらのことから、還元水は、水道水に比べると浸透性や抽出力が強いことが分かった。
【手続補正５】
【補正対象書類名】明細書
【補正対象項目名】００３３
【補正方法】変更
【補正の内容】
【００３３】
要するに、本発明の還元処理剤は、浸透力が強く、脂肪酸やタンパク質の汚れを落とす作用、一種の界面活性剤としての機能、殺菌効果、毒性のある化学物質を分解する作用、漂白作用を有し、従来使用されている界面活性剤、酸化防止剤、還元剤、浸透剤、防腐剤、殺菌剤、漂白剤、洗剤等の化学物質の代替品となり得る。
【手続補正６】
【補正対象書類名】明細書
【補正対象項目名】００４４
【補正方法】変更
【補正の内容】
【００４４】
［被験者６］
５０歳代後半  女性  約１０日使用
以前より、乾燥肌に悩み、特に冬季は、乾燥によるひび割れに悩んでいた。保湿化粧水と浄水とオイルと前記還元処理剤を１０：３：１：１の割合で混ぜたものを、ボディーローションとして１０日間使用した。ひどかった肌の乾燥が改善し、とてもしっとりした。また、全身がつやつやと輝き、満足している。同様にして、顔肌にも塗布したところ、乾燥が改善され、ボディーローションの使用量も減ってきた。
【手続補正７】
【補正対象書類名】明細書
【補正対象項目名】００４６
【補正方法】変更
【補正の内容】
【００４６】
［被験者８］
５０歳代  女性  約１ヶ月半使用
保湿化粧水、オイル、前記還元処理剤を１０：１：１の割合で混ぜて使用した。使用後２、３日でリフトアップを実感した。その後の継続使用により小じわが軽減し、肌質も柔らかになり、全体にきめが整った感じがする。また、両頬骨周辺にある肝斑が薄くなり始め、赤みが随分と取れてきた。周囲の人からは、「顔の形が変わった」と言われる。これは、おそらく、リフトアップの効果で顔全体が引き締まったことによるものと思われる。使用開始から約一カ月半後、輝きのある肌になり、顔色もワントーン明るくなった。
【手続補正８】
【補正対象書類名】明細書
【補正対象項目名】００５２
【補正方法】変更
【補正の内容】
【００５２】
表１は、上述の混合有機酸（カルシウム、アスコルビン酸、クエン酸、塩）と上述の酸化混合粉体（マグネシウム、亜鉛）を混合し、これを250mLの水に0.3g溶解して得られた溶液のＯＲＰの変化を示す。また、表２は、前記混合有機酸からカルシウムを除いたものを酸化混合粉体と混合し、これを250mLの水に0.3g溶解して得られた溶液のＯＲＰの変化を示す。表中、「時間」とは溶解時からの経過時間を示す（以下、同様）。表１と表２の比較から明らかなように、カルシウムを含まない溶液の方が速やかにＯＲＰが低下したが、溶解から５分後では、両方の溶液のＯＲＰはほぼ同じであった。
【手続補正９】
【補正対象書類名】明細書
【補正対象項目名】００５７
【補正方法】変更
【補正の内容】
【００５７】
表５は、マグネシウム８０部、亜鉛１５部、カルシウム３０部、及び銅、モリブデン、ニッケル、コバルト、鉄、アルミニウムをそれぞれ１部ずつ混合した混合粉体にｐＨ２〜３、ＯＲＰ１０００ｍＶ以上の酸化水を混合した後、酸化混合粉体としたものに、上述の混合有機酸を混合し、これを250mLの水に0.3g溶解して得られた溶液のＯＲＰの変化を示す。表１と表５の比較から、マグネシウム及び亜鉛以外の金属粉を混ぜたものは、混ぜなかったものに比べると、5分経過後のＯＲＰの低下がわずかに大きかった。
【国際調査報告】
2016047680.tif 000014
2016047680.tif 000015
2016047680.tif 000016
2016047680.tif 000017
2016047680.tif 000018
2016047680.tif 000019
2016047680.tif 000020
2016047680.tif 000021
2016047680.tif 000022